(57)【要約】【課題】  表示記録媒体の画像の書き替えが適切に行われたか否かを容易に確認できるようにした画像書込装置を提供する。【解決手段】  表示記録媒体が無電源で表示する画像を画像信号に応じて書き替える画像書込装置であって、書込部１５における表示記録媒体２Ａに書込電圧印加電極１６を介して初期化電圧を書込電圧発生部１７から印加して初期化を行い、その画像を光センサ２０で検出し、初期化の成否を制御部１８で判定する。初期化が正常に行えなかったとき、制御部１８は警報部２１を駆動し、警報を発する。【選択図】    図１
2006251693.tif 000002
【特許請求の範囲】
【請求項１】
無電源で画像を表示可能な表示記録媒体に第１の画像を書き込む第１の書込部と、
前記表示記録媒体に書き込まれた前記第１の画像を第２の画像に書き替える第２の書込部と、
前記表示記録媒体に書き込まれた前記第１の画像を検出する光センサと、
前記光センサの検出結果に応じた表示を行う制御部とを備えたことを特徴とする画像書込装置。
【請求項２】
前記制御部は、前記光センサが前記第１の画像を検出できなかったとき、その後の動作を停止することを特徴とする請求項１に記載の画像書込装置。
【請求項３】
前記制御部は、前記光センサが前記第１の画像を検出できなかったとき、前記第２の書込部による画像の書き替えを禁止することを特徴とする請求項１に記載の画像書込装置。
【請求項４】
前記制御部は、発光部あるいは音出力部により前記表示を行うことを特徴とする請求項１に画像書込装置。
【請求項５】
前記音出力部は、前記光センサの検出信号を可聴周波数の音信号に変換する音変換部と、
前記音変換部による音信号を音響振動に変換する電気−音響変換器とを備えたことを特徴とする請求項４に記載の画像書込装置。
【請求項６】
前記制御部は、前記光センサが前記第１の画像を検出できなかったとき、前記光センサが前記第１の画像を検出できたときとは異なる方向に前記表示記録媒体を搬送することを特徴とする請求項１に記載の画像書込装置。
【請求項７】
前記光センサは、前記第１の書込部と前記第２の書込部との間の中間トレイで前記第１の画像を検出することを特徴とする請求項１に記載の画像書込装置。
【請求項８】
前記制御部は、前記光センサが前記表示記録媒体の前記第１の画像を検出できなかったとき、前記表示記録媒体を前記中間トレイからミストレイに排出することを特徴とする請求項７記載の画像書込装置。
【請求項９】
前記第１の書込部は、前記表示記録媒体に前記第１の画像を書き込んで前記表示記録媒体を初期化することを特徴とする請求項１に記載の画像書込装置。
【請求項１０】
前記第１の書込部は、前記表示記録媒体の画像書込領域の少なくとも一部に前記第１の画像として白画像あるいは黒画像を書き込むことを特徴とする請求項１に記載の画像書込装置。
【請求項１１】
前記第１および第２の書込部は、共通の書込部であることを特徴とする請求項１に記載の画像書込装置。
【請求項１２】
前記光センサは、前記共通の書込部で前記第１の画像を検出することを特徴とする請求項１１に記載の画像書込装置。
【請求項１３】
前記第１の書込部は、前記表示記録媒体を収容する収容部で前記表示記録媒体に前記第１の画像を書き込み、
前記光センサは、前記収容部で前記第１の画像を検出することを特徴とする請求項１に記載の画像書込装置。
【請求項１４】
前記第１の書込部は、前記表示記録媒体に電圧を印加して前記第１の画像を書き込み、
前記第２の書込部は、前記表示記録媒体に電圧を印加するとともに画像信号に応じた画像光を照射して前記第２の画像を書き込むことを特徴とする請求項１に記載の画像書込装置。
【請求項１５】
前記第１および第２の書込部は、前記表示記録媒体にカラーの前記第１および第２の画像を書き込み、
前記光センサは、前記カラーの第１の画像を検出することを特徴とする請求項１に記載の画像書込装置。
【発明の詳細な説明】
【技術分野】
【０００１】
本発明は、表示記録媒体が無電源で表示する画像を画像信号に応じて書き替える画像書込装置に関し、特に、表示記録媒体の画像の書き替えが適切に行われたか否かを容易に確認できるようにした画像書込装置に関する。
【背景技術】
【０００２】
近年、表示記録媒体として、紙媒体や電子ディスプレイデバイスの他に、電子ディスプレイの長所と紙の長所を併せ持った表示記録媒体あるいはデジタルペーパと称せられる表示記録媒体が注目されている。
【０００３】
この表示記録媒体は、表示に関してメモリ性を有することから、情報の書き替え時のみ画像書込装置により書き込みのエネルギーを与えるだけで良く、表示を維持するエネルギー付与は不要である。従って、情報の書き込み後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込型表示記録媒体、及びこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む画像記録装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に受電部を介して電圧を印加して、光導電層の抵抗分布に基づく分圧分布を液晶層に印加し、分圧分布に応じた画像を液晶層に記録するものである。
【０００６】
この光書込型表示記録媒体の画像書込装置によれば、一対の電極全体に電圧を印加しながら画像情報を面状に露光することで印字が可能なため、ライン露光や走査露光などに比べ、大容量の画像情報を高速に書き込むことが可能となる。
【特許文献１】特開２００１−３０１２３３号公報（［００３１］〜［００４３］、図１、図２）
【発明の開示】
【発明が解決しようとする課題】
【０００７】
しかし、従来の画像書込装置によると、紙に印字する通常のプリンタ等とは異なり、既に画像が書き込まれているものに対して別の画像を上書きするというプロセスをとるため、上書きによる書き替えがなされたのか、あるいは書き替えがなされずに元の画像が消えずに残っている状態なのかを、表示記録媒体が画像書込装置から排出された後でなければ確認することができない。また、書き替えの前と後の画像が似ている場合には、その差異を見分けられず書き替えの成否を判断できないことがある。
【０００８】
従って、本発明の目的は、表示記録媒体の画像の書き替えが適切に行われたか否かを容易に確認できるようにした画像書込装置を提供することにある。
【課題を解決するための手段】
【０００９】
本発明は、上記目的を達成するため、無電源で画像を表示可能な表示記録媒体に第１の画像を書き込む第１の書込部と、前記表示記録媒体に書き込まれた前記第１の画像を第２の画像に書き替える第２の書込部と、前記表示記録媒体に書き込まれた前記第１の画像を検出する光センサと、前記光センサの検出結果に応じた表示を行う制御部とを備えたことを特徴とする画像書込装置を提供する。
【００１０】
第１の画像を検出する光センサの検出結果に応じた表示により、表示記録媒体の画像の書き替えが適切に行われたか否かを容易に確認することができる。
【００１１】
制御部は、光センサが第１の画像を検出できなかったとき、その後の動作を停止してもよい。動作の停止により、異常が発生したことが分かる。
【００１２】
制御部は、光センサが第１の画像を検出できなかったとき、第２の書込部による画像の書き替えを禁止するのが好ましい。これにより、無駄な画像の書き込みを防ぐことができる。
【００１３】
制御部は、発光部あるいは音出力部により表示を行うようにしてもよい。発光部による表示によれば、離れた場所から表示内容を理解することができる。音出力部による表示によれば、何らかの作業をしながら表示内容を理解することができる。
【００１４】
上記音出力部は、光センサの検出信号を可聴周波数の音信号に変換する音変換部と、音変換部による音信号を音響振動に変換する電気−音響変換器とから実現することができる。
【００１５】
制御部は、光センサが第１の画像を検出できなかったとき、光センサが第１の画像を検出できたときとは異なる方向に表示記録媒体を搬送してもよい。搬送方向によって異常の有無を理解することができる。
【００１６】
光センサは、第１の書込部と第２の書込部との間の中間トレイで第１の画像を検出してもよい。この場合、制御部は、光センサが表示記録媒体の第１の画像を検出できなかったとき、表示記録媒体を中間トレイからミストレイに排出してもよい。書き替え不良の表示記録媒体と正常の表示記録媒体との仕分け作業を省くことができる。
【００１７】
第１の書込部は、表示記録媒体に第１の画像を書き込んで表示記録媒体を初期化するものでもよい。
【００１８】
第１の書込部は、表示記録媒体の画像書込領域の少なくとも一部に第１の画像として白画像あるいは黒画像を書き込む構成としてもよい。第１の画像を白画像あるいは黒画像とすることにより、光センサによる第１の画像の検出を容易かつ確実に行うことができる。
【００１９】
第１および第２の書込部は、共通の書込部により構成してもよい。これにより、構成の簡素化、小型化が図れる。この場合、光センサは、共通の書込部で第１の画像を検出してもよい。
【００２０】
第１の書込部は、表示記録媒体を収容する収容部で表示記録媒体に第１の画像を書き込み、上記光センサは、収容部で第１の画像を検出してもよい。
【００２１】
第１の書込部は、表示記録媒体に電圧を印加して第１の画像を書き込み、上記第２の書込部は、表示記録媒体に電圧を印加するとともに画像信号に応じた画像光を照射して第２の画像を書き込む構成としてもよい。
【００２２】
第１および第２の書込部は、表示記録媒体にカラーの第１および第２の画像を書き込み、上記光センサは、カラーの第１の画像を検出する構成としてもよい。この構成によれば、表示記録媒体のカラー画像の書き替えが適切に行われたか否かを容易に確認することができる。
【発明の効果】
【００２３】
本発明によれば、表示記録媒体の画像の書き替えが適切に行われたか否かを容易に確認することができる。
【発明を実施するための最良の形態】
【００２４】
［第１の実施の形態］
図１は、本発明の第１の実施の形態に係る画像書込システムを示す。この画像書込システム１は、書き替え対象の表示記録媒体２Ａを所定の方向へ搬送する供給部としての媒体ローダ部１０１、及びこの媒体ローダ部１０１に隣接して設けられ、媒体ローダ部１０１からの表示記録媒体２Ａに書き込みを行う記録部１０２を備えた画像書込装置１００と、この画像書込装置１００に装填して書き込みが行われる表示記録媒体２Ａとからなる。
【００２５】
画像書込装置１００は、媒体ローダ部１０１と、記録部１０２と共用される筐体１０とを備え、記録部１０２の側面には、書き込みが終了した表示記録媒体２Ａを外部に排出するための排出口１０ａを有する。また、筐体１０は、表示記録媒体２Ａを媒体ローダ部１０１に装填するための図示しない搬入口を有する。
【００２６】
媒体ローダ部１０１は、筐体１０の片側の内部に立設した電磁ソレノイド１１と、電磁ソレノイド１１のアーマチュア１１ａの上端に水平に取り付けられるとともに１又は複数の表示記録媒体２Ａを載置する載置台１２と、最上面の表示記録媒体２Ａを搬送する搬送ローラ１３Ａとを備える。
【００２７】
記録部１０２は、搬送ローラ１３Ａの後方の下側に設置された搬送ローラ１３Ｂと、書き込み（書き替え）が終了した表示記録媒体２Ａを排出するための搬送ローラ１３Ｃと、搬送ローラ１３Ｂ，１３Ｃに対向配置された押圧ローラ１４Ａ，押圧ローラ１４Ｂと、載置台１２から搬送されてきた表示記録媒体２Ａの画像書込領域に書込パターン光を照射する書込部１５と、書込部１５上の表示記録媒体２Ａの受電部に所定の電圧を印加する一対の書込電圧印加電極１６と、書込電圧印加電極１６に所定の電圧を印加する書込電圧発生部１７と、電磁ソレノイド１１、ローラ１３Ａ，１３Ｂ，１４Ａ，１４Ｂ、書込部１５、及び書込電圧発生部１７を制御する制御部１８と、押圧ローラ１４Ａ，１４Ｂに附勢力を付与するスプリング１９Ａ，１９Ｂと、表示記録媒体２Ａの表面２ａに面して配設された光センサ２０と、制御部１８に接続された警報部２１とを備える。
【００２８】
電磁ソレノイド１１は、制御部１８の制御に基づいて、表示記録媒体２Ａの厚み相当分を段階的に上昇できるように構成されている。
【００２９】
書込部１５は、画像データに応じた画像を表示するＬＣＤ（Liquid Crystal Display）１５ａと、ＬＣＤ１５ａの背面にバックライト光を照射するバックライト１５ｂからなり、ＬＣＤ１５ａは表示記録媒体２Ａの画像書込領域と同等のサイズを有する。なお、ＬＣＤ１５ａおよびバックライト１５ｂからなる構成に代えて、プラズマディスプレイ（ＰＤＰ）、エレクトロルミネッセンスディスプレイ（ＥＬＤ）、蛍光表示管ディスプレイ（ＶＦＤ）、電界放出ディスプレイ（ＦＥＤ）等による表示パネルを用いることもできる。また、バックライト１５ｂには、発光ダイオード（ＬＥＤ）や冷陰極管等を用いることができる。
【００３０】
書込電圧印加電極１６は、図示せぬ押圧手段によって書き替え時に下方に附勢され、書込位置に搬入された表示記録媒体２Ａの受電部に接触するように構成されている。
【００３１】
書込電圧発生部１７は、制御部１８の制御の下に、書き込み（書き替え）時に、表示記録媒体２Ａ内の一対の透明電極に印加するための電圧を発生するものである。
【００３２】
制御部１８は、ＣＰＵ、プログラムが格納されたＲＯＭ（リード・オンリー・メモリ）、データを一時的に記憶するＲＡＭ（ランダム・アクセス・メモリ）、インターフェース回路等を備えるほか、書き込み（書き替え）に用いられる画像データを格納したハードディスク、半導体メモリ等による記憶部を備える。また、図示を省略しているが、ユーザが入力設定等の操作を行うための操作部が接続されている。更に、制御部１８は、光センサ２０の検出結果に対する判定を行うと共に、判定結果に基づいて警報部２１を制御する機能を有する。
【００３３】
光センサ２０は、表示記録媒体２Ａの画像表示領域の全面もしくは一部が検出エリアとなるように設置され、表示記録媒体２Ａの画像表示領域の所定位置の全黒または全白を検出して電気信号に変換して制御部１８に出力するものであり、例えば、フォトセンサを用いることができる。
【００３４】
警報部２１は、図示しないブザー、スピーカ等の電気−音響変換器と、この電気−音響変換器を制御部１８の制御のもとに動作させる図示しない駆動回路とを備え、光センサ２０が検出信号を発生したとき、制御部１８によって駆動されるように構成されている。
【００３５】
（表示記録媒体の構成）
図２は、表示記録媒体２Ａの構成を示す。この表示記録媒体２Ａは、対向配置したＰＥＴ（ポリエチレンテレフタレート）フィルムからなる一対の透明な基板２０１Ａ，２０１Ｂと、一対の基板２０１Ａ，２０１Ｂの内側に設けられたＩＴＯ（インジウム錫酸化物）からなる一対の透明電極２０２Ａ，２０２Ｂと、透明電極２０２Ａの内側に設けられるとともに透明電極２０２Ａ，２０２Ｂへの印加電圧に応じて反射率（透過率）が変化するコレステリック液晶からなる液晶層２０３と、透明電極２０２Ｂの内側に配設され、書込パターン光３０の画像書込領域２ｃへの照射によって抵抗値が小さくなるように形成された光導電層２０４と、液晶層２０３と光導電層２０４の間に設けられた光吸収層２０５と、透明電極２０２Ｂから表面２ａ側に延在する延在部２０６と、透明電極２０２Ａ，２０２Ｂに接続するように形成された一対の受電部２０７と、基板２０１Ａ，２０１Ｂ間を埋めるように充填された樹脂充填部２０８とを備える。なお、一対の受電部２０７は、紙面に垂直な方向に所定の間隔をもって配置されている。
【００３６】
（画像書込システムの動作）
次に、図１及び図２を参照して、画像書込システム１の動作について説明する。まず、ユーザが載置台１２上に、書き替えをしたい表示記録媒体２Ａをセットする。次に、ユーザが図示しない操作部を操作して書き替えのモードを設定したことに伴って、制御部１８は、搬送ローラ１３Ａ，１３Ｂ，１３Ｃを回転させ、表示記録媒体２Ａを載置台１２上から図１の右方向へ水平に搬送する。
【００３７】
搬送された表示記録媒体２Ａは、書込部１５に到達し、その先端部が搬送ローラ１３Ｃと押圧ローラ１４Ｂで挟持されたことを図示しない光センサが検出すると、制御部１８は搬送ローラ１３Ａ〜１３Ｃの回転を停止させる。
【００３８】
次に、制御部１８は、一対の書込電圧印加電極１６を表示記録媒体２Ａの一対の受電部２０７に接触させる。次に、書込電圧発生部１７を動作させ、通常の書込動作の前に、一対の受電部２０７間に表示記録媒体２Ａを初期化（リフレッシュ）するための電圧（以下「初期化電圧」という。）を印加する。
【００３９】
この初期化電圧の印加によって表示記録媒体２Ａの画像表示領域２ｄに全白または全黒が表示される。このとき、書込部１５は動作させない。あるいは、書込部１５を動作させた状態で、初期化電圧を印加して、全白にしても良い。
【００４０】
この初期化電圧に印加による画像の状態変化は、光センサ２０で検出される。光センサ２０の検出結果に対し、画像表示領域２ｄの画像状態が全白または全黒であることを制御部１８が判定すると、書き替え可を判定し、通常の書込動作に入る。
【００４１】
一方、光センサ２０の検出出力が予め設定した範囲外のときは、制御部１８は、画像表示領域２ｄの画像状態が全白または全黒でないと判定する。制御部１８は、警報部２１を駆動し、ユーザに書き替えが行えないことを警報音や合成音声等により警報する。更に、表示記録媒体２Ａに画像信号に基づく画像を書き込まずに、ローラ１３Ｃ，１４Ｂを駆動して、表示記録媒体２Ａを筐体１０の外へ排出させる。この表示記録媒体２Ａに対して、再度、書き込みを試みる場合、表示記録媒体２Ａを載置台１２にセットし直し、上記したようにして表示記録媒体２Ａの初期化動作を行う。
【００４２】
（通常の書き替え動作）
初期化動作が正常に行えた場合、制御部１８は、書込電圧発生部１７から書込電圧印加電極１６を介して表示記録媒体２Ａの一対の受電部２０７に電圧を印加するとともに、制御部１８内の記憶部から画像データを読み出して書込部１５に書込信号を供給する。書込部１５は、書込信号に基づいた書込パターン光３０を生成し、表示記録媒体２Ａの画像書込領域２ｃに照射する。
【００４３】
表示記録媒体２Ａにおいては、画像書込領域２ｃに照射された書込パターン光３０が、基板２０１Ｂ、透明電極２０２Ｂ、光導電層２０４に到達する。
【００４４】
光導電層２０４は、光が照射された部分の抵抗値が小さくなり、それにより、光導電層２０４とのインピーダンス比で決まる液晶層２０３の分圧が増加し、液晶層２０３における光反射率が大きくなる。従って、表示記録媒体２Ａの表面２ａに照明光３２が照射されているとき、液晶層２０３の書込パターン光３０が照射された領域は、反射率が大きくなるために照明光３２が反射して白く見え、書込パターン光３０が照射されなかった領域は、照明光３２が液晶層２０３を透過して光吸収層２０５で吸収されるために黒く見え、反射光３１をＥ方向から画像として見ることができる。この画像は、受電部２０７への電圧印加が消失した後でも、長時間保持される。
【００４５】
書込部１５による表示記録媒体２Ａへの書き替え動作が終了すると、制御部１８は搬送ローラ１３Ｃを回転させ、表示記録媒体２Ａを排出口１０ａへ送り出し、筐体１０の外へ排出する。
【００４６】
（第１の実施の形態の効果）
この第１の実施の形態によれば、以下の効果を奏する。
（イ）通常の書き替えに先行して、表示記録媒体２Ａの画像書込領域２ｃに印加する初期化動作を利用して書き替えの成否を確認できるため、書き替えが正常に行えたか否かを容易に確認することができる。また、別途検査用書き込みを行う必要がない。
（ロ）初期化動作の失敗に対して、警報部２１によって警報がなされるため、ユーザは表示記録媒体２Ａに書き替えが行えるか否かを容易に知ることができる。
（ハ）初期化動作が行えなかったとき、その表示記録媒体２Ａは自動的に機外に排出されるため、ユーザによる排出操作を不要にすることができると共に、これによっても書き替えが正常に行えないことを認識することができる。
（ニ）初期化動作のための構成は画像書込装置１００側のみで達成できるため、表示記録媒体２Ａは在来品をそのまま使用できるため、新規に用意することなく、使い回すことができる。
【００４７】
［第２の実施の形態］
図３は、本発明の第２の実施の形態に係る画像書込システムを示す。この画像書込システム１は、第１の実施の形態に示した表示記録媒体２Ａ、書込部１５、制御部１８、光センサ２０および警報部２１のほか、書き替え対象の表示記録媒体２Ａが最初に搬入されるリセット部４１と、リセット部４１からの表示記録媒体２Ａを収納し、光センサ２０が設置され、書き替え時に表示記録媒体２Ａを書込部１５へ搬送する中間トレイ４２と、書込部１５で書き替えが終了した表示記録媒体２Ａを収納する排出トレイ４３と、リセット部４１に設置されて表示記録媒体２Ａの初期化を行う電極４４とを備える。
【００４８】
なお、リセット部４１、中間トレイ４２、および排出トレイ４３は、表示記録媒体２Ａを搬送するためのローラおよび駆動部を備えているが、ここでは図示を省略している。なお、図３に示す各部および全体の制御は、制御部１８によって行われる。
【００４９】
書込部１５は、中間トレイ４２から搬入された表示記録媒体２Ａに対し、書込電圧発生部１７および制御部１８により通常の書き替えが行えるように構成されている。
【００５０】
リセット部４１は、表示記録媒体２Ａに対して露光を行わずに受電部２０７に電極４４を介して初期化電圧を印加して表示記録媒体２Ａの初期化を行うように構成されている。
【００５１】
中間トレイ４２には、搬入された表示記録媒体２Ａの画像表示領域２ｄの一部または全域の画像状態の変化を検出する光センサ２０が設置されている。
【００５２】
（画像書込システムの動作）
書き替え対象の表示記録媒体２Ａは、最初にリセット部４１にセットされる。電極４４から表示記録媒体２Ａの受電部２０７に全黒または全白にする初期化電圧を印加する。この書き込みが終了すると、制御部１８は、リセット部４１の図示しないローラを回転させ、表示記録媒体２Ａをリセット部４１から中間トレイ４２へ搬送する。
【００５３】
初期化動作が正常に行われた場合、中間トレイ４２に搬入された表示記録媒体２Ａの画像表示領域２ｄには、全黒または全白の画像が形成されている。この画像は、光センサ２０によって検出される。
【００５４】
光センサ２０による検出結果が、全白または全黒であることを制御部１８が判定すると、制御部１８は中間トレイ４２の図示しないローラを回転させ、中間トレイ４２に収納している表示記録媒体２Ａを書込部１５へ搬送する。
【００５５】
書込部１５は、第１の実施の形態で説明した様にして、表示記録媒体２Ａの画像書込領域２ｃに書込パターン光３０を照射する。表示記録媒体２Ａに対する書き替えが終了すると、制御部１８は、書込部１５の図示しないローラを回転させ、表示記録媒体２Ａを書込部１５から排出トレイ４３へ排出する。
【００５６】
一方、中間トレイ４２に搬入された表示記録媒体２Ａが全白または全黒で無かったとき、光センサ２０の検出出力は予め設定した範囲外にあるため、制御部１８は表示記録媒体２Ａへの書き替えエラーを判定する。この判定に対して制御部１８は、中間トレイ４２のローラを駆動し、表示記録媒体２Ａを中間トレイ４２から書込部１５を素通りさせて排出トレイ４３へ排出する。なお、表示記録媒体２Ａを中間トレイ４２からリセット部４１に戻してもよい。これにより、他の表示記録媒体２Ａと容易に区別することができる。
【００５７】
（第２の実施の形態の効果）
この第２の実施の形態によれば、警報部２１による警報によって第１の実施の形態と同様に表示記録媒体２Ａの初期化が正常に行えたか否かを認識することができる。また、書込部１５において初期化および光センサ２０による検出を行う必要がないため、書込部１５における構成を簡略にすることができる。なお、上記第２の実施の形態では、中間トレイ４２を設けたが、光センサ２０による検出を搬送しながら行うことで、省略することも可能である。
【００５８】
［第３の実施の形態］
図４は、本発明の第３の実施の形態に係る画像書込システムを示す。本実施の形態は、第２の実施の形態において、リセット部４１の場所にスタック部４５を配置し、中間トレイ４２に代えて光センサ２０および電極４４を備えるリセット部４１を設置し、更に、初期化が不能であった表示記録媒体２Ａを書込部１５側へ送らずに回収するためのミストレイ４６を設置したものである。その他の構成は第２の実施の形態と同様である。
【００５９】
スタック部４５には、表示記録媒体２Ａが収納されている。制御部１８は、スタック部４５の内の１枚の表示記録媒体２Ａを所定のタイミングでリセット部４１へ搬入する。表示記録媒体２Ａがリセット部４１に搬入されると、制御部１８は、電極４４を介して表示記録媒体２Ａの受電部２０７に初期化電圧を印加する。
【００６０】
初期化動作が行わると、画像表示領域２ｄには、全黒または全白の画像が形成される。なお、リセット部４１で全面露光を行えるようにし、露光状態で、初期化電圧を印加して、全白にしても良い。従って、光センサ２０には画像表示領域２ｄの画像状態に応じた信号が出力される。制御部１８は、光センサ２０の検出結果から画像表示領域２ｄの全黒または全白を判定すると、リセット部４１の図示しないローラを回転させ、表示記録媒体２Ａを書込部１５へ搬送する。
【００６１】
書込部１５では、第１の実施の形態で説明した様にして、表示記録媒体２Ａの画像書込領域２ｃへの書き替えを実施する。書き替えが終了すると、制御部１８は、書込部１５の図示しないローラを回転させ、表示記録媒体２Ａを書込部１５から排出トレイ４３へ排出する。
【００６２】
一方、光センサ２０の検出結果に対し、画像表示領域２ｄが全黒または全白の閾値から外れていると、制御部１８は書き替えエラーを判定する。この判定に基づいて、制御部１８はリセット部４１のローラを逆回転させ、表示記録媒体２Ａをミストレイ４６側へ搬送し、図示しないガイド部を介してミストレイ４６へ搬入し、書き替え対象から除外する。
【００６３】
（第３の実施の形態の効果）
この第３の実施の形態によれば、リセット部４１において表示記録媒体２Ａに対する初期化が行えるため、第２の実施の形態と同様に、書込部１５において初期化および光センサ２０による検出を行う必要がなく、書込部１５における構成を簡略にすることができる。また、初期化エラーの表示記録媒体２Ａはミストレイ４６に搬入されるため、使用できる表示記録媒体２Ａと使用できない表示記録媒体２Ａとを容易に区別することができると共に、エラーになった表示記録媒体２Ａをユーザにより選別する等の作業を不要にすることができる。
【００６４】
［第４の実施の形態］
図５は、本発明の第４の実施の形態に係る画像書込システムを示す。本実施の形態は、第１の実施の形態の構成に、光センサ２０を警報部２１に直接接続し、警報部２１を音変換部５０と、音変換部５０に接続した電気−音響変換器としてのスピーカ５１により構成したものである。
【００６５】
音変換部５０は、光センサ２０で得られたパルス状の検出信号に基づいて、警報音となる連続的な音信号、例えば１０００ヘルツの可聴周波数を一定時間継続させる回路、或いはメロディー等を生成する回路を備えている。
【００６６】
図５において、表示記録媒体２Ａの初期化は、第１の実施の形態で説明したように、初期化電圧を電極４４を介して表示記録媒体２Ａの一対の受電部２０７に印加することにより行われる。
【００６７】
この初期化動作による画像の状態変化は、光センサ２０で検出される。例えば、全白と全黒を繰り返し書き込んだ場合、画像表示領域２ｄでの反射率が高反射率と低反射率と変化し、この結果、光センサ２０にはパルス状の信号が発生し、この信号により音変換部５０が駆動される。音変換部５０はスピーカ５１を駆動し、スピーカ５１から音響が発せられることにより、ユーザは表示記録媒体２Ａが書き替えできることを認識することができる。
【００６８】
一方、画表示記録媒体２Ａの初期化が行えなかったとき、音変換部５０を動作させることができないため、スピーカ５１から音は発せられず、ユーザは表示記録媒体２Ａを初期化できなかったことを認識することができる。
【００６９】
（第４の実施の形態の効果）
この第４の実施の形態によれば、音変換部５０とスピーカ５１の組み合わせにより、制御部１８を介することなく表示記録媒体２Ａの書き替えの成否を警報することができる。これにより、既存の画像書込装置１００に初期化確認の機能を追加することもできる。その他の効果は、第１の実施の形態と同様である。
【００７０】
［第５の実施の形態］
図６は、本発明の第５の実施の形態に係る画像書込システムを示す。この実施の形態は、第１の実施の形態において、書込パターン光の照射方向と見る方向が同じタイプの表示記録媒体２Ｂに対応させたもので、書込部１５を表示記録媒体２Ｂの上側に配置するとともに書込部１５に対向して受け台６０を配置しており、その他の構成は第１の実施の形態と同様である。
【００７１】
図７は、表示記録媒体２Ｂの層構成を示す。この表示記録媒体２Ｂは、図２の表示記録媒体２Ａにおいて、光吸収層２０５を透明電極２０２Ｂの内側に配設し、さらに液晶層２０３と光導電層２０４の間に隔離層２０９を追加し、画像書込表示領域２ｅを光センサ２０で検出できるように広げたものであり、その他の構成は図２と同様である。
【００７２】
この表示記録媒体２Ｂは、表面２ａ側から画像書込表示領域２ｅに書込パターン光３０が照射され、更に、書込電圧発生部１７から所定の電圧が書込電圧印加電極１６を介して一対の受電部２０７に印加されることによって画像が書き込まれる。書き込まれた画像は、画像書込装置１００から排出された後、図７に示す方向Ｅから見ることができる。
【００７３】
（画像書込システムの動作）
次に、第５の実施の形態の動作を説明する。なお、媒体ローダ部１０１から記録部１０２へ表示記録媒体２Ｂを搬送する動作、書込（書替）動作、及び表示記録媒体２Ｂの排出動作は、第１の実施の形態と同様であるので、説明を省略する。
【００７４】
ユーザにより書き替えのモードが設定されたことに伴い、表示記録媒体２Ｂが書込部１５に搬入されると、通常の書込動作の前に、初期化電圧が書込電圧印加電極１６を介して表示記録媒体２Ｂの一対の受電部２０７に印加される。この場合も、書込部１５は動作させない。
【００７５】
この検査用書き込みに対する画像の状態変化は、光センサ２０で検出され、画像書込表示領域２ｅの画像状態が全白または全黒であることを制御部１８が判定すると、書き替え可を判定し、第１の実施の形態で説明した通常の書込動作を実行する。
【００７６】
一方、画像書込表示領域２ｅの画像状態が全白または全黒ではないとき、光センサ２０の検出出力は予め設定した範囲外になり、制御部１８は書き替えエラーを判定する。そこで、制御部１８は、警報部２１を駆動し、書き替えが行えないことをユーザに警報音または合成音声で警報する。更に、ローラ１３Ｃ，１４Ｂを回転させて、表示記録媒体２Ａを筐体１０の外へ排出する。
【００７７】
（第５の実施の形態の効果）
この第５の実施の形態によれば、第１の実施の形態と同様に、初期化エラーを警報部２１の警報によって認識できるため、ユーザは表示記録媒体２Ａに初期化が正しく行えたか否かを容易に知ることができる。
【００７８】
［第６の実施の形態］
図８は、本発明の第６の実施の形態に係る画像書込システムの要部を示す。この第６の実施の形態は、カラー画像を表示可能な表示記録媒体２Ｃを用い、光センサとしてＲ，Ｇ，Ｂの色光を検出するＲＧＢ光センサ８０を用いたものであり、他は第１の実施の形態と同様に構成されている。
【００７９】
表示記録媒体２Ｃは、例えば、特開２０００−１１１９４２号公報に開示されたものを用いることができ、青色画像を表示する青色液晶層７０Ｂ、緑色画像を表示する緑色液晶層７０Ｇ、および赤色画像を表示する赤色液晶層７０Ｒを仕切層７１を介して積層し、一方の側に光吸収層７２および光導電層７３を積層し、これらを透明電極７４Ａ，７４Ｂを有する透明基板７５Ａ，７５Ｂで挟持した構成を有する。
【００８０】
液晶層７０Ｒ，７０Ｇ，７０Ｂは、閾値電圧が異なるコレステリック液晶からなり、棒状分子の螺旋ピッチをネマティック液晶に対するカイラス剤の添加量を調整することによりＲ，Ｇ，Ｂの反射特性を有する。
【００８１】
表示記録媒体２Ｃを初期化する場合は、一対の透明電極７４Ａ，７４Ｂ間に所定の初期化電圧を印加することにより、全赤色、全緑色、全青色の画像を書き込むことができ、この赤色、緑色、青色をＲＧＢ光センサ８０で検出し、その検出結果を制御部１８に送ることで、第１の実施の形態と同様に、初期化エラーに対して警報部による警報を行うことができる。
【００８２】
表示記録媒体２Ｃに画像信号に基づく画像を書き込む場合は、一対の透明電極７４Ａ，７４Ｂ間に所定の電圧を印加するとともに、赤色画像信号に基づいて赤色液晶層７０Ｒの閾値電圧に対応した分圧を発生させる光強度の書込パターン光３０を光導電層７３に照射して赤色画像を赤色液晶層７０Ｒに書き込む。これと同様に、緑色画像信号に基づいて緑色液晶層７０Ｇの閾値電圧に対応した分圧を発生させる光強度の書込パターン光３０を光導電層７３に照射して緑色画像を緑色液晶層７０Ｇに書き込み、青色画像信号に基づいて青色液晶層７０Ｂの閾値電圧に対応した分圧を発生させる光強度の書込パターン光３０を光導電層７３に照射して青色画像を青色液晶層７０Ｂに書き込む。各液晶層７０Ｒ，７０Ｇ，７０Ｂに書き込まれた赤色画像、緑色画像および青色画像が合成されてフルカラー画像として表示することができる。
【００８３】
この第６の実施の形態によれば、カラー画像を表示可能な表示記録媒体２Ｃについても初期化エラーを警報によりユーザに通知することができる。なお、カラー画像表示用の表示記録媒体は、上記構成に限らず、フィルタを用いた方式等の他の構成でもよい。
【００８４】
［他の実施の形態］
なお、本発明は、上記各実施の形態に限定されず、本発明の技術思想を逸脱あるいは変更しない範囲内で種々な変形が可能であり、各実施の形態の構成要素を任意く組み合わせることができる。
【００８５】
また、制御部１８は、警報に代え、或いは警報と共に、画像書込装置１００を停止させる制御を行ってもよい。
【００８６】
また、画像書込装置１００にＰＣ等のホスト機を接続したシステムにすることもでき、この場合には、ホスト機に書き替えエラーを通知する構成にすることができる。
【００８７】
また、第２，第３の実施の形態においては、初期化エラーになった表示記録媒体の処理は、上記した排出トレイ４３やミストレイ４６へ排出する構成のほか、表示記録媒体２Ａ，２Ｂの裏返し、オフセットなどにしてもよい。
【００８８】
上記各実施の形態においては、初期化動作のエラーを検出したが、初期化動作とは別にあるいは初期化動作の代わりに検査用書き込みを行い、検査用書き込みのエラーを検出するようにしてもよい。
【００８９】
また、書き込み失敗時においては、次の媒体に記録してユーザを補助する構成にすることも、一度エラーを検出しても再トライし、再度エラーになったときに完全エラーにすることもできる。
【００９０】
更に、印字すべき情報を別の表示記録媒体に記録することもできる。この場合、不良表示記録媒体は、排出してもしなくてもどちらでもよい。また同じトレイに排出する際には、エラーがあったことを明記した媒体を排出してもよい。また、光センサ２０の検出出力を利用して、記録条件へのフィードバックを行うこともできる。
【００９１】
また、初期化あるいは検査用書き込みは、書込電圧印加電極１６からの電圧印加と同時に書込部１５から光照射して行うこともできる。
【００９２】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示記録媒体を用いてもよい。
【００９３】
書込部は、ＬＣＤを用いた方式以外に、プロジェクタを用いてもよく、ＣＲＴディスプレイ、プラズマディスプレイ等の表示装置と結像光学系を組み合わせた投影装置により画像光を表示記録媒体の画像書込領域に結像させてもよい。
【図面の簡単な説明】
【００９４】
【図１】本発明の第１の実施の形態に係る画像書込システムを示す構成図である。
【図２】図１の表示記録媒体の構成を示す断面図である。
【図３】本発明の第２の実施の形態に係る画像書込システムを示す構成図である。
【図４】本発明の第３の実施の形態に係る画像書込システムを示す構成図である。
【図５】本発明の第４の実施の形態に係る画像書込システムを示す構成図である。
【図６】本発明の第５の実施の形態に係る画像書込システムを示す構成図である。
【図７】図６の表示記録媒体の層構成を示す断面図である。
【図８】本発明の第６の実施の形態に係る画像書込システムの要部を示す構成図である。
【符号の説明】
【００９５】
１  画像書込システム
２，２Ａ，２Ｂ，２Ｃ  表示記録媒体
２ａ  表面
２ｂ  裏面
２ｃ  画像書込領域
２ｄ  画像表示領域
２ｅ  画像書込表示領域
１０  筐体
１０ａ  排出口
１１  電磁ソレノイド
１１ａ  アーマチュア
１２  載置台
１３Ａ，１３Ｂ，１３Ｃ  搬送ローラ
１４Ａ，１４Ｂ  押圧ローラ
１５  書込部
１５ａ  ＬＣＤ
１５ｂ  バックライト
１６  書込電圧印加電極
１７  書込電圧発生部
１８  制御部
１９Ａ，１９Ｂ  スプリング
２０  光センサ
２１  警報部
３０  書込パターン光
３１  反射光
３２  照明光
４１  リセット部
４２  中間トレイ
４３  排出トレイ
４４  電極
４５  スタック部
４６  ミストレイ
５０  音変換部
５１  スピーカ
６０  受け台
７０Ｂ  青色液晶層
７０Ｇ  緑色液晶層
７０Ｒ  赤色液晶層
７１  仕切層
７２  光吸収層
７３  光導電層
７４Ａ，７４Ｂ  透明電極
７５Ａ，７５Ｂ  透明基板
８０  ＲＧＢ光センサ
１００  画像書込装置
１０１  媒体ローダ部
１０２  記録部
２０１Ａ，２０１Ｂ  基板
２０２Ａ，２０２Ｂ  透明電極
２０３  液晶層
２０４  光導電層
２０５  光吸収層
２０６  延在部
２０７  受電部
２０８  樹脂充填部
２０９  隔離層
【図１】
2006251693.tif 000003
【図２】
2006251693.tif 000004
【図３】
2006251693.tif 000005
【図４】
2006251693.tif 000006
【図５】
2006251693.tif 000007
【図６】
2006251693.tif 000008
【図７】
2006251693.tif 000009
【図８】
2006251693.tif 000010